(57)【要約】      （修正有）【課題】バネ板の先端にゴミが引っかかることを防止して排水口の詰まりを抑制するドレンキャップを提供する。【解決手段】排水口を通水可能に塞ぐキャップ本体２１と、キャップ本体２１に取り付けられ弾撥力により排水口の内面に当接するバネ板２２とを備え、バネ板２２は、排水口に配置する前の状態で、キャップ本体２１に取り付けた位置からキャップ本体２１と離間する方向へ向かうように延在する中間部３０と、中間部３０の方向を変更するように中間部３０の先端からキャップ本体２１の側部外方へ向かって湾曲する湾曲部３１とを備える。【選択図】図１
0003161700.tif 000002
【実用新案登録請求の範囲】
【請求項１】
排水口を通水可能に塞ぐキャップ本体と、該キャップ本体に取り付けられ弾撥力により排水口の内面に当接するバネ板とを備え、前記バネ板は、排水口に配置する前の状態で、キャップ本体に取り付けた位置からキャップ本体と離間する方向へ向かうように延在する中間部と、該中間部の方向を変更するように中間部の先端からキャップ本体の側部外方へ向かって湾曲する湾曲部とを備えたことを特徴とするドレンキャップ。
【請求項２】
排水口を通水可能に塞ぐキャップ本体と、該キャップ本体に取り付けられ弾撥力により排水口の内面に当接するバネ板とを備え、前記バネ板は、排水口の周方向に沿って延在する周方向延在部を備えたことを特徴とするドレンキャップ。
【請求項３】
排水口を通水可能に塞ぐキャップ本体と、該キャップ本体に取り付けられ弾撥力により排水口の内面に当接するバネ板とを備え、前記バネ板は、排水口の周方向に沿って延在する周方向延在部と、排水口に配置する前の状態で、周方向延在部からキャップ本体と離間する方向へ延在し且つキャップ本体の側部外方へ向かって湾曲する湾曲部とを備えたことを特徴とするドレンキャップ。
【請求項４】
前記バネ板の周方向延在部は、下方側に空けるように延在する形状を備えたことを特徴とする請求項２、３に記載のドレンキャップ。
【考案の詳細な説明】
【技術分野】
【０００１】
本考案は、建築物の排水口に装着されるドレンキャップに関するものである。
【背景技術】
【０００２】
ビルやマンション等の建築物の屋上や各階のベランダには、雨水を排水し得るよう排水口（ドレン）が設けられているのが一般的であり、この種の排水口には、雨水に随伴される落ち葉や小枝或いは紙、ビニール等といったゴミの侵入防止、並びに排水口が剥き出しになることによる危険性の回避、美観の保持等といった観点からドレンキャップが装着されている。
【０００３】
図１４〜図１６は従来における屋上に設けられるドレンキャップの一例を示すもので、１はドレンキャップを構成するキャップ本体であり、このキャップ本体１はフロア２の排水口３の上部外側に設置するためのフランジ部４と、該フランジ部４から上方に突出して排水口３を通水可能に塞ぐ上方突部５とから構成されており、このキャップ本体１の内部には、上端が上方突部５の内部中心位置に固定されて下方に所要長さで延設したロッド材６が固定されており、該ロッド材６の下端部には、十文字に交差されたバネ鋼材からなる２枚の細長いバネ板７の交差部分がビス止めされたもの、或いは１本のバネ鋼材からなる細長いバネ板７の中間部が固定されたものがある。尚、図１４中における８はキャップ本体１に形成された雨水を導き入れるための取水口を示している。
【０００４】
前記フロア２を形成するためのモルタルやセメント、樹脂等といった流動性硬化材９の打設時に当該フロア２の排水口３の位置にドレン本体１０が一緒に埋め込まれており、図１６に示すように、前記キャップ本体１に固定した各バネ板７の両端部を下方向きに撓ませて排水口３内に挿入すると、前記各バネ板７が弾撥力によりドレン本体１０の内面に圧接することでキャップ本体１が排水口３に固定されるようになっている。
【０００５】
一方、図１７、図１８に示すように、フロア２と壁１１との間に排水口３’が形成されている場合があり、この場合には、排水口３’を閉塞するためのコーナ部用のドレンキャップを設けている。このコーナ部用のドレンキャップは、フロア側キャップ部１４と壁側キャップ部１５がヒンジ部１３により折曲げ可能に接続されたキャップ本体１６を備えている。またフロア側キャップ部１４と壁側キャップ部１５には取水口８が形成されている。更に図１８に示すごとく壁側キャップ部１５の前記ヒンジ部１３に近い側の下面には固定ブロック１７が設けてあり、固定ブロック１７には支点ピン１８を中心に上下方向に回動可能な回動駒１９が設けてあり、１枚の細長いバネ板７の中間部が回動駒１９にビス止めされている。
【０００６】
キャップ本体１６を排水口３’に固定する際には、バネ板７の両端部を互いに近付けるように撓ませて排水口３’内に挿入し、フロア側キャップ部１４をフロア２上に設置し、壁側キャップ部１５を壁１１上に設置する。この時、前記バネ板７が水平状態になるように支点ピン１８によって回動駒１９の位置を固定する。これにより、バネ板７の先端が排水口３’の上下方向中間の内面に弾撥力によって圧接されることによりキャップ本体１６を排水口３’に固定するようになっている。
【０００７】
尚、前述の如きドレンキャップの一般的技術水準を示すものとしては、例えば、特許文献１がある。
【先行技術文献】
【特許文献】
【０００８】
【特許文献１】実用新案登録第３１０９９９０号公報
【考案の概要】
【考案が解決しようとする課題】
【０００９】
しかしながら、このようなキャップ本体１，１６や先行技術文献の例のキャップ本体を排水口３，３’に固定する際には、バネ板７の全体が、ドレン本体１０や排水口３，３’の内面に沿って圧接せず、図１６、図１８に示す如くバネ板７の一部がドレン本体１０や排水口３，３’の内面に接して湾曲し、バネ板７の先端が排水口の軸心方向へ向かって丸く撓んだ状態になるため、落ち葉や小枝或いは紙、ビニール等のゴミがバネ板７の先端に引っかかり、排水口３，３’に詰まりを生じて水の流れを堰き止めてしまうという問題があった。
【００１０】
本考案は上述の実情に鑑みてなしたもので、バネ板の先端にゴミが引っかかることを防止して排水口の詰まりを抑制するドレンキャップを提供することを目的としている。
【課題を解決するための手段】
【００１１】
本考案は、排水口を通水可能に塞ぐキャップ本体と、該キャップ本体に取り付けられ弾撥力により排水口の内面に当接するバネ板とを備え、前記バネ板は、排水口に配置する前の状態で、キャップ本体に取り付けた位置からキャップ本体と離間する方向へ向かうように延在する中間部と、該中間部の方向を変更するように中間部の先端からキャップ本体の側部外方へ向かって湾曲する湾曲部とを備えたことを特徴とするドレンキャップ、に係るものである。
【００１２】
本考案は、排水口を通水可能に塞ぐキャップ本体と、該キャップ本体に取り付けられ弾撥力により排水口の内面に当接するバネ板とを備え、前記バネ板は、排水口の周方向に沿って延在する周方向延在部を備えたことを特徴とするドレンキャップ、に係るものである。
【００１３】
本考案は、排水口を通水可能に塞ぐキャップ本体と、該キャップ本体に取り付けられ弾撥力により排水口の内面に当接するバネ板とを備え、前記バネ板は、排水口の周方向に沿って延在する周方向延在部と、排水口に配置する前の状態で、周方向延在部からキャップ本体と離間する方向へ延在し且つキャップ本体の側部外方へ向かって湾曲する湾曲部とを備えたことを特徴とするドレンキャップ、に係るものである。
【００１４】
本考案のドレンキャップにおいて、前記バネ板の周方向延在部は、下方側に空けるように延在する形状を備えることが好ましい。
【考案の効果】
【００１５】
本考案のドレンキャップによれば、バネ板に、キャップ本体の側部外方へ向かって湾曲する湾曲部、排水口の周方向に沿って延在する周方向延在部の少なくとも一つを備えるので、湾曲部の場合には、湾曲部が排水口の延在方向の内面に沿って圧接し、また周方向延在部の場合には、周方向延在部が排水口の周方向の内面に沿って圧接し、バネ板の先端が排水口の内面に接した状態になり、ゴミがバネ板の先端に引っかかることを防止し、排水口の詰まりを抑制することができる。また、排水口の詰まりを抑制して水の流れを堰き止めることがないので、多量の水が屋根に長期間溜まった状態による建物の寿命の低下や性能の劣化を防止することができるという優れた効果を奏し得る。
【図面の簡単な説明】
【００１６】
【図１】本考案を実施する形態の第一例を示す全体概念図である。
【図２】第一例においてキャップ本体とバネ板の取付状態を示す概念図である。
【図３】第一例においてキャップ本体を排水口に取り付ける前のバネ板の状態を示す概念図である。
【図４】第一例においてキャップ本体を排水口に取り付けた後のバネ板の状態を示す概念図である。
【図５】本考案を実施する形態の第二例を示す全体概念図である。
【図６】第二例においてキャップ本体とバネ板の取付状態を示す概念図である。
【図７】第二例においてキャップ本体を排水口に取り付けた後のバネ板の状態を示す概念図である。
【図８】図７のＶＩＩＩ−ＶＩＩＩ方向の矢視図である。
【図９】本考案を実施する形態の第三例を示す全体概念図である。
【図１０】第三例においてキャップ本体とバネ板の取付状態を示す概念図である。
【図１１】第三例においてキャップ本体を排水口に取り付けた後のバネ板の状態を示す概念図である。
【図１２】本考案を実施する形態の第四例を示す概念側面図である。
【図１３】第四例においてキャップ本体を排水口に取り付けた後のバネ板の状態を示す概念図である。
【図１４】従来のドレンキャップを構成するキャップ本体の一例を示す斜視図である。
【図１５】図１４のキャップ本体を側方から見た概念断面図である。
【図１６】図１４のキャップ本体を排水口に設置した状態を示す概念側面図である。
【図１７】従来のコーナ部用のドレンキャップを構成するキャップ本体の一例を示す斜視図である。
【図１８】図１７のキャップ本体を排水口に設置した状態を示す概念側面図である。
【考案を実施するための形態】
【００１７】
以下、本考案を実施する形態の第一例を図１〜図４を参照して説明する。なお、図中、図１７、図１８と同一の符号を付した部分は同一物を表わしている。
【００１８】
実施の形態の第一例のドレンキャップは、コーナ部用のドレンキャップであって、フロア２の排水口２０（図４参照）を通水可能に塞ぐキャップ本体２１と、キャップ本体２１に取り付けられる１枚の細長いバネ板２２とを備えている。
【００１９】
キャップ本体２１は、フロア２と壁１１との間から延在する排水口２０に対応するように、排水口２０の前面に位置し得る板状の前面部２３と、前面部２３から屈曲して形成され排水口２０の前方両側面に位置し得る板状の側面部２４とを備えている。前面部２３及び両側の側面部２４には、全面にわたって長孔２５を備え、雨水等が外部から排水口２０へ流れるようになっている。また前面部２３の中央下部には固定ブロック２６を備え、固定ブロック２６には支点ピン２７を中心に上下方向に回動可能な回動駒２８が設けられている。ここでキャップ本体２１の形状や構成は特に限定されるものではなく、円形の外周や他の形状の外周を備えても良いし、キャップ本体２１の長孔２５をどのような形状にしても良いし、従来の如く折曲げ可能に構成されても良い。更に回動駒２８を備えることなく、キャップ本体２１の固定ブロック等にバネ板２２を直接固定しても良い。
【００２０】
バネ板２２は、回動駒２８にビス２９を介して取り付けられており、取り付け位置を中心として左右対称に滑らかな凸状に形成されている。バネ板２２の形状は、具体的に排水口２０に配置する前の状態で、キャップ本体２１に取り付けた位置からキャップ本体２１と離間する方向へ向かうように、キャップ本体２１に取り付けた位置から斜め後方に向かって湾曲する中間部３０と、中間部３０の方向をキャップ本体２１の側部外方へ向かって変更するように中間部３０の先端からキャップ本体２１の前面部２３と平行な方向へ湾曲する湾曲部３１とから構成されている。ここでバネ板２２の形状は、中間部３０を直線状にしても良いし、１枚のバネ板２２を分割したような形状にしてキャップ本体２１の左右に配置しても良い。またバネ体の全長は、キャップ本体２１の横幅より長くしても良いし、他の長さでも良い。更に複数のバネ板２２を備えても良い。
【００２１】
以下、本考案を実施する形態の第一例の作用を説明する。
【００２２】
キャップ本体２１を排水口２０に取り付ける際には、バネ板２２の両側の先端を互いに近付けるように撓ませて排水口２０内に挿入し、挿入後にバネ板２２の弾撥力によって図４に示すようにバネ板２２の湾曲部３１の外面全体を排水口２０の延在方向の内面に沿って圧接させ、キャップ本体２１を排水口２０に固定する。ここで排水口２０は、図２に示すごとくドレン本体１０を備える場合であっても良いし、ドレン本体１０がない場合であっても良い。また排水口２０が既存のものである場合には、既存の排水口に塩化ビニールやウレタン等の改修用ドレンや保護部材を配置した後、バネ板２２を挿入しても良い。
【００２３】
またバネ板２２を排水口２０内に配した際には、バネ板２２の先端が排水口２０の軸心方向へ向かって丸く撓んだ状態になることがなく、雨水と共に、落ち葉や小枝或いは紙、ビニール等のゴミがキャップ本体２１内に流れ込んだ場合であっても、ゴミがバネ板２２の先端に引っかかることがない。
【００２４】
このように、実施の形態の第一例のドレンキャップによれば、バネ板２２に、キャップ本体２１の側部外方へ向かって湾曲する湾曲部３１を備えるので、バネ板２２の湾曲部３１の外面全体が排水口２０の延在方向の内面に沿って圧接し、バネ板２２の先端が排水口２０の内面に接した状態になり、ゴミがバネ板２２の先端に引っかかることを防止し、よって排水口２０の詰まりを抑制することができる。また排水口２０の詰まりを抑制して水の流れを堰き止めることがないので、多量の水が屋根に長期間溜まった状態による建物の寿命の低下や性能の劣化を防止することができる。更にバネ板２２の厚みを薄くするので、湾曲部３１の厚みによりゴミが引っかかることを防止できる。
【００２５】
またバネ板２２の湾曲部３１の全体が排水口２０の延在方向の内面に沿って圧接するので、排水口２０の内面に接触するバネ板２２の面積が増加し、キャップ本体２１が排水口２０から外れることを抑制するように抜け強度を高め、キャップ本体２１を適切に配置することができる。
【００２６】
以下、本考案を実施する形態の第二例を図５〜図８を参照して説明する。なお、図中、図１〜図４と同一の符号を付した部分は同一物を表わしている。
【００２７】
実施の形態の第二例のドレンキャップは、第一例のバネ板２２を変形したものであり、キャップ本体２１は、第一例と同様な前面部２３及び側面部２４を備え、前面部２３の中央下部には凸状の固定部材２１ａを備えている。
【００２８】
第二例のバネ板３２は、キャップ本体２１の固定部材２１ａにビス３３を介して取り付けられており、取り付け位置を中心として左右対称に形成されている。具体的にバネ板３２の形状は、排水口２０の周方向に沿って延在し且つ排水口２０の延在方向に沿って所定幅を備える周方向延在部３４を備えて構成されている。また周方向延在部３４は、断面形状で、一方の側部位置から上方を周回して他方の側部位置まで延在する円弧であり、周方向延在部３４の下方側には、排水口２０の内面を露出させる開放部３５（図８参照）を形成していると共に、周方向延在部３４の上端には、キャップ本体２１の固定部材２１ａに対してビス３３により固定し得る取付部３６を備えている。ここでバネ板３２の円弧は、排水口２０へ配置した際に弾性力を発生するように排水口２０の円弧よりやや大きな円弧が好ましい。またバネ板３２の厚みは、排水口２０に挿入できるように撓み且つ排水口２０の内面に密接するように所定の弾性力を有することが好ましい。
【００２９】
以下、本考案を実施する形態の第二例の作用を説明する。
【００３０】
キャップ本体２１を既存の排水口２０に取り付ける際には、周方向延在部３４の下端を互いに近付けて丸めるように撓ませて排水口２０内に挿入し、挿入後にバネ板３２の弾撥力によって図７、図８に示すように周方向延在部３４の外面全体を排水口２０の内面に沿って圧接させ、キャップ本体２１を排水口２０に固定する。ここで排水口２０は、図７に示すごとくドレン本体１０を備える場合であっても良いし、ドレン本体１０がない場合であっても良い。また排水口２０が既存のものである場合には、既存の排水口に塩化ビニールやウレタン等の改修用ドレンや保護部材を配置した後、バネ板３２を挿入しても良い。
【００３１】
またバネ板３２を排水口２０内に配した際には、バネ板３２の下端や先端が排水口２０の軸心方向へ向かって丸く撓んだ状態になることがなく、雨水と共に、落ち葉や小枝或いは紙、ビニール等のゴミがキャップ本体２１内に流れ込んだ場合であっても、ゴミがバネ板３２の下端や先端に引っかかることがない。
【００３２】
このように、実施の形態の第二例のドレンキャップによれば、バネ板３２に、排水口２０の周方向に沿って延在する周方向延在部３４を備えるので、バネ板３２の周方向延在部３４の外面全体が排水口２０の周方向の内面に沿って圧接し、バネ板３２の下端や先端が排水口２０の内面に接した状態になり、バネ板３２の下端や先端にゴミが引っかかることを防止し、よって排水口２０の詰まりを抑制することができる。また排水口２０の詰まりを抑制して水の流れを堰き止めることがないので、多量の水が屋根に長期間溜まった状態による建物の寿命の低下や性能の劣化を防止することができる。更にバネ板３２の厚みを薄くするので、周方向延在部３４の厚みによりゴミが引っかかることを防止できる。
【００３３】
またバネ板３２の周方向延在部３４の外面全体が排水口２０の周方向の内面に沿って圧接するので、排水口２０の内面に接触するバネ板３２の面積が増加し、キャップ本体２１が排水口２０から外れることを抑制するように抜け強度を高め、キャップ本体２１を適切に配置することができる。
【００３４】
更に実施の形態の第二例のドレンキャップにおいて、バネ板３２の周方向延在部３４は、下方側に空けるように延在する形状を備えると、バネ板３２の下方側にゴミが引っかかることを一層抑制し、排水口２０の詰まりを好適に防止することができる。
【００３５】
以下、本考案を実施する形態の第三例を図９〜図１１を参照して説明する。なお、図中、図１〜図８と同一の符号を付した部分は同一物を表わしている。
【００３６】
実施の形態の第三例のドレンキャップは、第一例または第二例のバネ板２２，３２を変形したものであり、キャップ本体２１は、第二例と同様な前面部２３、側面部２４、凸状の固定部材２１ａを備えている。
【００３７】
第三例のバネ板３７は、第二例と同様にキャップ本体２１の固定部材２１ａにビス３８を介して取り付けられており、取り付け位置を中心として左右対称に形成されている。具体的にバネ板３７の形状は、排水口２０の周方向に沿って延在する周方向延在部３９と、周方向延在部３９の先端からキャップ本体２１と離間する方向へ延在する湾曲部４０とを備えて構成されている。また周方向延在部３９は、断面形状で、一方の側部位置から上方を周回して他方の側部位置まで延在する円弧であり、周方向延在部３９の下方側には、排水口２０の内面を露出させる開放部３５（図８参照）を形成していると共に、周方向延在部３９の上端には、キャップ本体２１の固定部にビス３８により固定し得る取付部４１を備えている。更に湾曲部４０の形状は、排水口２０に配置する前の状態で、周方向延在部３９の下端からキャップ本体２１の側部外方へ向かうように斜め後方へ湾曲している。ここでバネ板３７の厚みは、排水口２０に挿入できるように撓み且つ排水口２０の内面に密接するように所定の弾性力を有することが好ましい。またバネ体の全長は、キャップ本体２１の横幅より長くしても良いし、他の長さでも良い。更に複数のバネ板３７を備えても良い。
【００３８】
以下、本考案を実施する形態の第三例の作用を説明する。
【００３９】
キャップ本体２１を既存の排水口２０に取り付ける際には、両側の湾曲部４０の先端を互いに近付けるように撓ませると共に、周方向延在部３９の下端を互いに近付けて丸めるように撓ませて排水口２０内に挿入し、挿入後にバネ板３７の弾撥力によって図１１に示すように湾曲部４０の外面全体を排水口２０の延在方向の内面に沿って圧接させると共に、周方向延在部３９の外面全体を排水口２０の周方向の内面に沿って圧接させ、キャップ本体２１を排水口２０に固定する。ここで排水口２０は、図１１に示すごとくドレン本体１０を備える場合であっても良いし、ドレン本体１０がない場合であっても良い。また排水口２０が既存のものである場合には、既存の排水口に塩化ビニールやウレタン等の改修用ドレンや保護部材を配置した後、バネ板３７を挿入しても良い。
【００４０】
またバネ板３７を排水口２０内に配した際には、湾曲部４０の先端や周方向延在部３９の下端が排水口２０の軸心方向へ向かって丸く撓んだ状態になることがなく、雨水と共に、落ち葉や小枝或いは紙、ビニール等のゴミがキャップ本体２１内に流れ込んだ場合であっても、ゴミがバネ板３７の下端や先端に引っかかることがない。
【００４１】
このように、実施の形態の第三例のドレンキャップによれば、バネ板３７に、排水口２０の周方向に沿って延在する周方向延在部３９と、周方向延在部３９の先端からキャップ本体２１と離間する方向へ延在し且つキャップ本体２１の側部外方へ向かって湾曲する湾曲部４０とを備えるので、湾曲部４０の外面全体が排水口２０の延在方向の内面に沿って圧接すると共に、周方向延在部３９の外面全体が排水口２０の周方向の内面に沿って圧接し、バネ板３７の下端や先端が排水口２０の内面に接した状態になり、バネ板３７の下端や先端にゴミが引っかかることを防止し、よって排水口２０の詰まりを抑制することができる。また排水口２０の詰まりを抑制して水の流れを堰き止めることがないので、多量の水が屋根に長期間溜まった状態による建物の寿命の低下や性能の劣化を防止することができる。更にバネ板３７の厚みを薄くするので、湾曲部４０や周方向延在部３９の厚みによりゴミが引っかかることを防止できる。
【００４２】
また湾曲部４０の外面全体及び周方向延在部３９の外面全体が排水口２０の内面に圧接するので、排水口２０の内面に接触するバネ板３７の面積が増加し、キャップ本体２１が排水口２０から外れることを抑制するように抜け強度を高め、キャップ本体２１を適切に配置することができる。
【００４３】
更に実施の形態の第三例のドレンキャップにおいて、バネ板３７の周方向延在部３９は、下方側に空けるように延在する形状を備えると、バネ板３７の下方側にゴミが引っかかることを一層抑制し、排水口２０の詰まりを好適に防止することができる。
【００４４】
以下、本考案を実施する形態の第四例を図１２、図１３を参照して説明する。なお、図中、図１〜図１１と同一の符号を付した部分は同一物を表わしている。
【００４５】
実施の形態の第四例のドレンキャップは、屋上に設けられるドレンキャップであって、フロア２の排水口３を通水可能に塞ぐキャップ本体１と、キャップ本体１に取り付けられる細長いバネ板４２とを備えており、キャップ本体１は、図１４、図１５に示すものと同じで構成を備えている。なおキャップ本体１は、他の形状でも良い。
【００４６】
第四例のバネ板４２は、ロッド材６の下端部にビス（図示せず）を介して取り付けられており、取り付け位置を中心として左右対称に滑らかな凸状に形成されている。バネ板４２の形状は、具体的に排水口３に配置する前の状態で、キャップ本体１に取り付けた位置からキャップ本体１と離間する方向へ向かうように、キャップ本体１に取り付けた位置から斜め後方に向かって湾曲する中間部４３と、中間部４３の方向をキャップ本体１の側部外方へ向かって変更するように中間部４３の先端からキャップ本体１のフランジ部４と平行な方向へ湾曲する湾曲部４４とから構成されている。ここでバネ板４２の形状は、中間部３０を直線状にしても良いし、１枚のバネ板４２を分割したような形状にしてキャップ本体１の左右に配置しても良い。またバネ体の全長は、キャップ本体１の横幅より長くしても良いし、他の長さでも良い。更に複数のバネ板４２を備えても良いし、十文字に交差した構成にしても良い。
【００４７】
以下、本考案を実施する形態の第四例の作用を説明する。
【００４８】
キャップ本体１を排水口３に取り付ける際には、バネ板４２の両側の先端を互いに近付けるように撓ませて排水口３内に挿入し、挿入後にバネ板４２の弾撥力によって図１３に示すようにバネ板４２の湾曲部４４の外面全体を排水口３の延在方向の内面に沿って圧接させ、キャップ本体１を排水口３に固定する。ここで排水口３は、図１３に示すごとくドレン本体１０を備える場合であっても良いし、ドレン本体１０がない場合であっても良い。また排水口３が既存のものである場合には、既存の排水口３に塩化ビニールやウレタン等の改修用ドレンや保護部材を配置した後、バネ板４２を挿入しても良い。
【００４９】
またバネ板４２を排水口３内に配した際には、バネ板４２の先端が排水口３の軸心方向へ向かって丸く撓んだ状態になることがなく、雨水と共に、落ち葉や小枝或いは紙、ビニール等のゴミがキャップ本体１内に流れ込んだ場合であっても、ゴミがバネ板４２の先端に引っかかることがない。
【００５０】
このように、実施の形態の第四例のドレンキャップによれば、バネ板４２に、キャップ本体１の側部外方へ向かって湾曲する湾曲部４４を備えるので、バネ板４２の湾曲部４４の外面全体が排水口３の延在方向の内面に沿って圧接し、バネ板４２の先端が排水口３の内面に接した状態になり、ゴミがバネ板４２の先端に引っかかることを防止し、よって排水口３の詰まりを抑制することができる。また排水口３の詰まりを抑制して水の流れを堰き止めることがないで、多量の水が屋根に長期間溜まった状態による建物の寿命の低下や性能の劣化を防止することができる。更にバネ板４２の厚みを薄くするので、湾曲部４４の厚みによりゴミが引っかかることを防止できる。
【００５１】
またバネ板４２の湾曲部４４の外面全体が排水口３の延在方向の内面に沿って圧接するので、排水口３の内面に接触するバネ板４２の面積が増加し、キャップ本体１が排水口３から外れることを抑制するように抜け強度を高め、キャップ本体１を適切に配置することができる。
【００５２】
尚、本考案のドレンキャップは、上述の形態例にのみ限定されるものではなく、キャップ本体の形状は図示例に限定されないこと、その他、本考案の要旨を逸脱しない範囲内において種々変更を加え得ることは勿論である。
【符号の説明】
【００５３】
１    キャップ本体
２１    キャップ本体
２２    第一例のバネ板
３０    中間部
３１    湾曲部
３２    第二例のバネ板
３４    周方向延在部
３７    第三例のバネ板
３９    周方向延在部
４０    湾曲部
４２    第四例のバネ板
４３    中間部
４４    湾曲部
【図１】
0003161700.tif 000003
【図２】
0003161700.tif 000004
【図３】
0003161700.tif 000005
【図４】
0003161700.tif 000006
【図５】
0003161700.tif 000007
【図６】
0003161700.tif 000008
【図７】
0003161700.tif 000009
【図８】
0003161700.tif 000010
【図９】
0003161700.tif 000011
【図１０】
0003161700.tif 000012
【図１１】
0003161700.tif 000013
【図１２】
0003161700.tif 000014
【図１３】
0003161700.tif 000015
【図１４】
0003161700.tif 000016
【図１５】
0003161700.tif 000017
【図１６】
0003161700.tif 000018
【図１７】
0003161700.tif 000019
【図１８】
0003161700.tif 000020